(57)【要約】      （修正有）【課題】蓄電池及びパワーコンディショナーを収容する蓄電池キャビネットを屋外に設置した場合であっても、蓄電池の充放電の停止の頻度を抑制することができ、設置位置の制約を緩和可能な蓄電池キャビネットの日除け構造を提供する。【解決手段】蓄電池キャビネットの日除け構造は、蓄電池及びパワーコンディショナーが収容された蓄電池キャビネット３と、蓄電池キャビネット３の側面を覆う側面部、及び、蓄電池キャビネット３の天面を覆う天面部１３、を有する日除けと、を備える。【選択図】図３
2014099357.tif 000002
【特許請求の範囲】
【請求項１】
蓄電池及びパワーコンディショナーが収容された蓄電池キャビネットと、
前記蓄電池キャビネットの側面を覆う側面部、及び、前記蓄電池キャビネットの天面を覆う天面部、を有する日除けと、
を備える、蓄電池キャビネットの日除け構造。
【請求項２】
前記側面部には、重力換気用の孔部が設けられる、請求項１に記載の蓄電池キャビネットの日除け構造。
【請求項３】
前記側面部及び前記天面部の少なくとも一部は取り外し自在に構成される、請求項１又は２に記載の蓄電池キャビネットの日除け構造。
【請求項４】
前記蓄電池キャビネットは、コンクリート製の基礎の上に載置され、
前記日除けは前記基礎に固定される、
請求項１〜３のいずれか一項に記載の蓄電池キャビネットの日除け構造。
【請求項５】
前記日除けは、前記蓄電池キャビネットを前記基礎に固定する固定手段によって前記基礎に固定される、請求項４に記載の蓄電池キャビネットの日除け構造。
【発明の詳細な説明】
【技術分野】
【０００１】
本発明は、蓄電池とパワーコンディショナーが収容された蓄電池キャビネットの日除け構造に関する。
【背景技術】
【０００２】
従来、蓄電池と、蓄電池用のパワーコンディショナー（蓄電池への充放電のため、電流を直流から交流へ、又は、電流を交流から直流へ変換する装置）等とを、蓄電池キャビネット内に収容したものがある。このような蓄電池の構成では、蓄電池キャビネット内部の温度が所定値を超えると、パワーコンディショナー等に設けられた安全装置の働きにより、機器の保護のために蓄電池への充放電等を自動停止させている。
【０００３】
例えば、特許文献１には、蓄電池キャビネット内の温度上昇を抑制するため、蓄電池キャビネットに通風孔や冷却ファン等を設けることが記載されている。
【先行技術文献】
【特許文献】
【０００４】
【特許文献１】特開２０１２−９３１０号公報
【発明の概要】
【発明が解決しようとする課題】
【０００５】
しかしながら、蓄電池やパワーコンディショナー等を収容する蓄電池キャビネットを屋外に設置した場合、日射の影響によって蓄電池キャビネット内の温度が上昇しやすくなり、蓄電池の充放電が停止する頻度が高まるおそれがある。また、蓄電池キャビネット内の温度上昇を防止するため、太陽光が照射しない場所に蓄電池を設置する必要がある等、設置位置（場所、方位）に制約がある。
【０００６】
そこで本発明は、このような従来技術の有する課題を解決するものであり、蓄電池及びパワーコンディショナーを収容する蓄電池キャビネットを屋外に設置した場合であっても、蓄電池の充放電の停止の頻度を抑制することができ、設置位置の制約を緩和可能な蓄電池キャビネットの日除け構造を提供することを目的とする。
【課題を解決するための手段】
【０００７】
上記課題を解決すべく、本発明に係る蓄電池キャビネットの日除け構造は、蓄電池及びパワーコンディショナーが収容された蓄電池キャビネットと、蓄電池キャビネットの側面を覆う側面部、及び、蓄電池キャビネットの天面を覆う天面部、を有する日除けと、を備える。
【０００８】
本発明によれば、太陽光が、直接、蓄電池キャビネットに照射することがなくなり、蓄電池キャビネット内の温度上昇を抑制することができる。これにより、温度上昇に伴う蓄電池の充放電の停止の頻度を抑制することができる。また、蓄電池キャビネットに、直接、太陽光が照射しないので、蓄電池キャビネットの設置位置（場所、方向）の制約を緩和することができる。
【０００９】
側面部には、重力換気用の孔部が設けられる、ことが好ましい。この場合には、温度差を利用した重力換気により、冷却ファン等の機械的手段を必要とせず、日除け内部の温度の上昇を抑制することができる。
【００１０】
側面部及び天面部の少なくとも一部は取り外し自在に構成される、ことが好ましい。この場合には、側面部及び天面部の少なくとも一部を取り外すことで、蓄電池キャビネットへのアクセスが容易となり、蓄電池キャビネットのメンテナンス作業を容易に行うことができる。
【００１１】
蓄電池キャビネットは、コンクリート製の基礎の上に載置され、日除けは基礎に固定される、ことが好ましい。この場合には、蓄電池が収容された蓄電池キャビネットと基礎との重量を利用して、日除けを、風圧等の外力に対し効果的に抵抗させることができる。また、蓄電池キャビネットを先に設置した場合でも、日除けを基礎に後付けすることができる。
【００１２】
日除けは、蓄電池キャビネットを基礎に固定する固定手段によって、基礎に固定される、ことが好ましい。この場合には、日除けを固定するためだけの専用の固定手段を設けることが不要となり、固定手段の数を減らすことができる。
【発明の効果】
【００１３】
本発明によれば、蓄電池の充放電の停止の頻度を抑制することができ、設置位置の制約を緩和することができる。
【図面の簡単な説明】
【００１４】
【図１】実施形態に係る、蓄電池キャビネットの日除け構造が適用された日除けを示す斜視図である。
【図２】図１に示す日除けを模式的に示す断面図である。
【図３】図１に示す日除けの分解斜視図である。
【図４】図１に示す日除けの側板の固定構造を示す断面図である。
【図５】第１の変形例における日除けの分解斜視図である。
【図６】第２の変形例における日除けの分解斜視図である。
【発明を実施するための形態】
【００１５】
以下、図面を参照しつつ、本発明に係る蓄電池キャビネットの日除け構造を適用した日除けの実施形態について詳細に説明する。
【００１６】
図１〜図４に示すように、日除け１は、基礎２に載置された蓄電池キャビネット３を覆う。基礎２は、平板状のプレキャストコンクリート、又は、現場打設のコンクリート等により形成される。
【００１７】
蓄電池キャビネット３は、直方体形状を有し、内部に収容空間を有している。蓄電池キャビネット３内には、図２に示すように、蓄電池３１、パワーコンディショナー３２、安全装置３３、及び、蓄電池３１の充放電に必要な回路等が収納されている。安全装置３３は、蓄電池キャビネット３内の温度が上昇した時に、蓄電池３１の充放電を停止させる。
【００１８】
蓄電池キャビネット３の前面には、扉３ａ（図３参照）が設けられている。扉３ａを開けることで、蓄電池キャビネット３に収容された蓄電池３１等のメンテナンスを行うことができる。
【００１９】
図４に示すように、蓄電池キャビネット３の下端には、断面コ字状に形成された一対の脚部材３５及び脚部材３６が取り付けられている。脚部材３５及び３６には、それぞれボルト孔が設けられている。脚部材３５及び３６のボルト孔に、ボルト（固定手段）４５及びボルト（固定手段）４６をそれぞれ差し込み、基礎２に埋め込まれたナット２５及びナット２６にボルト４５及びボルト４６をそれぞれねじ込むことにより、蓄電池キャビネット３と基礎２とが固定される。
【００２０】
日除け１は、側面部１０、及び、天面部１３を備える。側面部１０は、蓄電池キャビネット３の周囲を囲み、天面部１３は、蓄電池キャビネット３の天面を覆う。
【００２１】
側面部１０は、前板１１、背板１２、側板１５、及び、側板１６を備える。前板１１は、蓄電池キャビネット３の前面に対向するように配置され、背板１２は、蓄電池キャビネット３の背面に対向するように配置される。側板１５及び１６は、蓄電池キャビネット３のそれぞれの側面に対向するように配置される。
【００２２】
側面部１０と蓄電池キャビネット３の側面、及び、天面部１３と蓄電池キャビネット３の天面は、空気の流通を促進して蓄電池キャビネット３内の温度上昇を抑制するために、所定寸法で離間されている。
【００２３】
前板１１、及び、背板１２は、平板形状を有している。側板１５は、平板部１５ａ、折曲部１５ｂ、ベースプレート１５ｃを有している。折曲部１５ｂは、平板部１５ａの側端部を蓄電池キャビネット３側に向けて直角に折り曲げることによって形成される。ベースプレート１５ｃは、平板部１５ａの下端部を蓄電池キャビネット３側に向けて直角に折り曲げることによって形成される。
【００２４】
平板部１５ａの両側端部に設けられた折曲部１５ｂは、それぞれ、近接する前板１１及び背板１２に重ねられる。即ち、折曲部１５ｂは、前板１１及び背板１２を側板１５に取り付ける際の重なり代となる。
【００２５】
平板部１５ａの上端部近傍及び下端部近傍には、それぞれ換気孔（孔部）１５ｄ及び換気孔（孔部）１５ｅが設けられる。換気孔１５ｄ及び１５ｅは、日除け１内の換気のためのものであり、ガラリ、横スリット、パンチング孔等によって形成することができる。換気孔１５ｄ及び１５ｅは、太陽光が日除け１内に入射しないように、設置位置や形状が定められている。
【００２６】
側板１６は、側板１５と同様に、平板部１６ａ、折曲部１６ｂ、ベースプレート１６ｃを有している。平板部１６ａには、平板部１５ａと同様に、上端部近傍及び下端部近傍に、それぞれ換気孔（孔部）１６ｄ及び換気孔（孔部）１６ｅが設けられる。側板１６の構成は、側板１５の構成と同様であり、詳細な説明を省略する。
【００２７】
図４に示すように、ベースプレート１５ｃは、脚部材３５と基礎２との間に挟まれ、ボルト４５によって脚部材３５を基礎２に固定するのと同時に基礎２に固定される。同様に、ベースプレート１６ｃは、脚部材３６と基礎２との間に挟まれ、ボルト４６によって脚部材３６を基礎２に固定するのと同時に基礎２に固定される。なお、ベースプレート１５ｃ及び１６ｃには、ボルト４５及び４６が通る孔がそれぞれ設けられている。
【００２８】
側板１５のベースプレート１５ｃ、及び、側板１６のベースプレート１６ｃを基礎２に固定することで、側板１５及び側板１６は基礎２上で自立した状態となる。この側板１５の折曲部１５ｂ、及び、側板１６の折曲部１６ｂに、前板１１及び背板１２の両端部をそれぞれ固定する。前板１１及び背板１２の固定は、ビス、ボルト、フック等によって行うことができる。
【００２９】
なお、前板１１を折曲部１５ｂ及び折曲部１６ｂに固定する際に、前板１１を容易に着脱できるようにしておく。これにより、蓄電池キャビネット３の扉３ａに対向する前板１１を、側板１５及び側板１６から容易に取り外すことができ、蓄電池キャビネット３内のメンテナンスを容易に行うことができる。
【００３０】
また、側面部１０には、蓄電池キャビネット３の配線工事や、フィルター清掃等のメンテナンスを行うことができるように、太陽光が日除け１内に入射しない構造で、適宜の位置に開口部を設けてもよい。
【００３１】
天面部１３は、平板部１３ａ、及び、折曲部１３ｂを有している。平板部１３ａは、四角形状を有し、蓄電池キャビネット３を囲む側面部１０の上部の開口を塞ぐ。折曲部１３ｂは、平板部１３ａの四辺を下方に向けて直角に折り曲げることで形成される。天面部１３は、四角枠状の折曲部１３ｂ内に側面部１０の上端部が入り込むように側面部１０の上部に載置され、側面部１０の上部の開口に蓋をする。
【００３２】
本実施形態は以上のように構成され、蓄電池キャビネット３を覆う日除け１を設けることで、太陽光が、蓄電池キャビネット３に直接照射することがなくなり、太陽光による蓄電池キャビネット３内の温度上昇を抑制することができる。これにより、温度上昇に伴う蓄電池３１の動作停止の頻度を抑制することができる。また、蓄電池キャビネット３に、直接、太陽光が照射しないので、蓄電池キャビネット３の設置位置（場所、方向）の制約を緩和することができる。
【００３３】
側板１５及び１６に、それぞれ換気孔１５ｄ及び１６ｄ、換気孔１５ｅ及び１６ｅを設けることで、温度差を利用した重力換気により、冷却ファン等の機械的手段を用いることなく、日除け１内部の温度の上昇を抑制することができる。
【００３４】
日除け１の前板１１を容易に取り外し可能とすることで、蓄電池キャビネット３へのアクセスが容易となり、蓄電池キャビネット３内のメンテナンス作業を容易に行うことができる。
【００３５】
側板１５及び１６を基礎２に固定することで、蓄電池３１が収容された蓄電池キャビネット３と基礎２の重量を利用して、日除け１を、風圧等の外力に対し効果的に抵抗させることができる。
【００３６】
側板１５及び１６を、蓄電池キャビネット３を基礎２に固定するボルト４５及び４６によって基礎２に固定することで、側板１５及び１６を固定するためだけの専用の固定手段を設けることが不要となり、固定手段の数を減らすことができる。
【００３７】
蓄電池キャビネット３を覆う日除け１を、複数の部材を組み立てて形成するものとした。これにより、日除け１を分解することができ、日除け１を容易に運搬することができる。
【００３８】
以上、本発明の一実施形態について説明したが、本発明は、上記実施形態に限定されるものではない。例えば、蓄電池キャビネット３、側板１５及び１６を基礎２に固定する際に、基礎２に埋め込んだナット２５及び２６を用いるものとしたが、基礎２に突設されたアンカーボルトを用いて、これらを基礎２に固定することもできる。
【００３９】
また、側板１５及び１６に換気孔１５ｅ及び１６ｅを設ける代わりに、側板１５及び１６を基礎２から浮かせた状態とし、基礎２と側板１５及び１６との間に隙間を設ける構成でもよい。
【００４０】
蓄電池キャビネット３の周囲を側面部１０によって囲むものとしたが、放熱等のために、側面部１０を構成する前板１１、背板１２、側板１５及び１６のいずれかを取り外した状態としてもよい。例えば、蓄電池キャビネット３を建物の壁面近傍に設置する場合、側面部１０を構成する各部材のうち、壁面に対向する部材を取り外した状態としてもよい。このように、側面部１０を構成する各部材の一部を取り外す場合、建物の壁面に対向する部材など、当該部材を取り外しても太陽光が蓄電池キャビネット３に直接照射することがない部材を取り外すことが好ましい。
【００４１】
また、前板１１及び天面部１３が大きい場合には、側板１５と側板１６との間に支柱を立設し、前板１１及び天面部１３の中間部分を立設した支柱に固定してもよい。
【００４２】
また、側板１５及び１６を、ボルト４５及び４６によって、蓄電池キャビネット３と共に基礎２に固定するものとしたが、側板１５及び側板１６を、蓄電池キャビネット３とは独立させて、基礎２にボルト等により固定してもよい。この場合には、基礎２上に蓄電池キャビネット３を設置した後であっても、日除け１を設置することができる。
【００４３】
次に、第１の変形例について説明する。本変形例は、実施形態に対し、基礎への側板の取り付け構造のみを変更したものであり、他の構成は実施形態と同じである。このため、基礎への側板の取り付け構造のみを説明し、実施形態と同じ構成要素には同一符号を付して詳細な説明を省略する。図５に示すように、側板１１５は、平板部１５ａ、折曲部１５ｂ、及び、延在部１１５ｃを有している。平板部１５ａには、換気孔１５ｄ及び１５ｅが設けられる。
【００４４】
延在部１１５ｃは、平板部１５ａの下端から、基礎２の側面を覆う位置まで延びている。側板１１５は、延在部１１５ｃに設けられた孔に通されて基礎２の側面にねじ込まれたボルト等により、基礎２に固定される。この場合には、蓄電池キャビネット３を基礎２の上に設置した後であっても、側板１１５を基礎２に容易に固定することができる。側板１１５の反対側の側板についても、側板１１５と同様に、基礎２の側面に固定する。
【００４５】
次に、第２の変形例について説明する。本変形例は、第１の変形例と同様に、基礎への側板の取り付け構造のみを変更したものである。図６に示すように、側板２１５は、平板部１５ａを有し、平板部１５ａには、換気孔１５ｄ及び１５ｅが設けられる。
【００４６】
基礎２には、支柱２２５及び支柱２２６が立設される。支柱２２５は、支柱部２２５ａ、及び、ベースプレート２２５ｂを有している。支柱部２２５ａは、断面Ｌ字形状を有している。ベースプレート２２５ｂは、支柱部２２５ａの下端に取り付けられている。同様に、支柱部２２６ａは、断面Ｌ字形状を有している。ベースプレート２２６ｂは、支柱部２２６ａの下端に取り付けられている。
【００４７】
支柱２２５及び２２６は、それぞれ、蓄電池キャビネット３の角部に立設される。支柱２２５は、実施形態と同様に、蓄電池キャビネット３の脚部材と基礎２との間にベースプレート２２５を挟み込み、蓄電池キャビネット３と基礎２とを固定するボルトにより基礎２に固定される。支柱２２６についても、支柱２２５と同様の方法により基礎２に固定される。
【００４８】
側板２１５は、支柱２２５及び２２６の支柱部２２５ａ及び２２６ａに取り付けられる。図示しない前板及び背板も、支柱２２５及び２２６の支柱部２２５ａ及び２２６ａに取り付けられる。側板２１５の反対側についても、側板２１５側と同様に、基礎２に支柱が立設され、この支柱に側板等が取り付けられる。
【００４９】
このように、基礎２に支柱を立設させて、支柱に前板、背板、側板を取り付ける場合には、側面部を構成する前板、背板、側板のいずれの部材も容易に着脱することができる。
【００５０】
なお、上記実施形態、各変形例の説明で用いた日除け１や蓄電池キャビネット３の形状は一例であり、他の形状であってもよい。
【符号の説明】
【００５１】
１…日除け、２…基礎、３…蓄電池キャビネット、３１…蓄電池、３２…パワーコンディショナー、１０…側面部、１３…天面部、１５ｄ，１５ｅ，１６ｄ，１６ｅ…換気孔（孔部）、４５，４６…ボルト（固定手段）。
【図１】
2014099357.tif 000003
【図２】
2014099357.tif 000004
【図３】
2014099357.tif 000005
【図４】
2014099357.tif 000006
【図５】
2014099357.tif 000007
【図６】
2014099357.tif 000008